(57)【要約】      （修正有）【課題】電子メールの内容を表示する時点でのリアルタイムな推奨情報を表示させることを容易に実現する推奨情報送信装置、コンピュータプログラム、推奨情報表示システム及び推奨情報表示方法を提供する。【解決手段】他装置との間で情報を送受信する通信手段を備え、他装置向けの推奨情報を抽出する抽出手段と、抽出した推奨情報を通信手段により他装置宛てに送信する推奨情報送信装置３は、電子メールに含まれる画像の送信要求を受け付けるＳ２０１と、受付手段が送信要求を受け付けた時点で、推奨される推奨情報に対応する画像を作成するＳ２０７とを更に備え、作成手段が作成した画像を通信手段により他装置宛てに送信する。【選択図】図４
2016170452.tif 000002
【特許請求の範囲】
【請求項１】
他装置との間で情報を送受信する通信手段を備え、前記他装置向けの推奨情報を抽出する抽出手段と、抽出した推奨情報を前記通信手段により前記他装置宛てに送信する推奨情報送信装置において、
電子メールに含まれる画像の送信要求を受け付ける受付手段と、
該受付手段が送信要求を受け付けた時点で、推奨される推奨情報に対応する画像を作成する作成手段と
を更に備え、
該作成手段が作成した画像を前記通信手段により他装置宛てに送信するようにしてある
ことを特徴とする推奨情報送信装置。
【請求項２】
前記受付手段は、送信すべき推奨情報に関連する１又は複数のＷｅｂページに対応付けられている情報及び前記１又は複数のＷｅｂページの閲覧者を識別する情報を前記送信要求と共に受け付け、
前記抽出手段は、前記１又は複数のＷｅｂページにおける閲覧者の行動情報に基づき推奨情報を抽出するようにしてある
ことを特徴とする請求項１に記載の推奨情報送信装置。
【請求項３】
前記受付手段は、ＨＴＭＬ（Hyper Text Markup Language）における画像タグに基づき前記ドメイン情報及び閲覧者を識別する情報、並びに前記送信要求を受け付けるようにしてある
ことを特徴とする請求項２に記載の推奨情報送信装置。
【請求項４】
前記電子メールには、前記画像が選択された場合のリンク情報が含まれており、
前記通信手段は、前記リンク情報に基づくＷｅｂページの送信要求を前記通信手段により受信するようにしてあり、
前記通信手段により受信したＷｅｂページの送信要求に応じて、選択された画像に関する前記送信要求に係るＷｅｂページとは異なるＷｅｂページへの接続情報を前記通信手段により前記端末装置宛てに送信する手段を更に備える
ことを特徴とする請求項１から３のいずれか１つに記載の推奨情報送信装置。
【請求項５】
コンピュータに、他装置との間で情報を送受信させ、前記他装置向けの推奨情報を抽出させ、抽出された推奨情報を前記他装置宛てに送信させるコンピュータプログラムにおいて、
前記コンピュータに、
電子メールに含まれる画像の送信要求を受け付ける受付手段、及び
該受付手段が送信要求を受け付けた時点で、推奨される推奨情報に対応する画像を作成する作成手段
として機能させ、
作成された画像を他装置宛てに送信させる
ことを特徴とするコンピュータプログラム。
【請求項６】
画像を表示する表示部、画像を含む電子メールを受信し、受信した電子メールの内、選択された電子メールに含まれる画像を前記表示部へ表示させる電子メール表示部を有する端末装置と、該端末装置との間で情報を送受信する通信手段、及び前記端末装置への推奨情報を抽出する抽出手段を備え、抽出した推奨情報を前記通信手段により前記端末装置宛てに送信する推奨情報送信装置とを含む推奨情報表示システムにおいて、
前記電子メール表示部は、
前記推奨情報送信装置から送信されるべき画像が含まれる電子メールを受信するようにしてあり、
前記電子メールに含まれる画像を表示させる時点で、ユーザ識別情報と共に前記推奨情報送信装置へ前記画像の送信を要求する手段を更に備え、
要求に応じて前記推奨情報送信装置から送信された画像を前記表示部に表示させるようにしてあり、
前記推奨情報送信装置は、
前記端末装置から画像の送信要求を前記ユーザ識別情報と共に受け付ける受付手段と、
該受付手段が要求を受け付けた時点で、前記ユーザ識別情報に基づき推奨される推奨情報に対応する画像を作成する作成手段と
を備え、
前記送信手段は、前記作成手段が作成した画像を前記端末装置宛てに送信するようにしてある
ことを特徴とする推奨情報表示システム。
【請求項７】
画像を表示する表示部を備え、電子メールを受信し、受信した電子メールの内、選択された電子メールに含まれる画像を前記表示部へ表示させる端末装置と、該端末装置との間で情報を送受信する通信手段を備え、推奨情報を抽出し、抽出した推奨情報を前記通信手段により前記端末装置宛てに送信する推奨情報送信装置とを含むシステムにて、前記端末装置にて推奨情報を表示させる推奨情報表示方法において、
前記端末装置は、
前記推奨情報送信装置から送信されるべき画像が含まれる電子メールを受信するようにしてあり、
前記電子メールに含まれる画像を表示させる時点で、ユーザ識別情報と共に前記推奨情報送信装置に前記画像の送信を要求し、
前記推奨情報送信装置は、
前記端末装置からの画像の送信要求を前記ユーザ識別情報と共に受け付け、
該送信要求を受け付けた時点で、前記ユーザ識別情報に基づき推奨される推奨情報に対応する画像を作成し、
作成した画像を前記端末装置宛てに送信し、
前記端末装置は、要求に応じて前記推奨情報送信装置から送信された画像を前記表示部に表示させる
ことを特徴とする推奨情報表示方法。
【発明の詳細な説明】
【技術分野】
【０００１】
本発明は、Ｗｅｂページを受信して表示する端末装置へ、Ｗｅｂページの閲覧履歴又はＷｅｂページに含まれる商品の購入履歴に基づき、推奨情報を提供して表示させる推奨情報表示システムに関し、リアルタイムな推奨情報を電子メール内で表示させることを実現する推奨情報送信装置、コンピュータプログラム、推奨情報表示システム及び推奨情報表示方法に関する。
【背景技術】
【０００２】
インターネット上での電子商取引、広告において昨今では、膨大な情報の中からユーザ個人向けに個別の嗜好に合わせた情報を抽出して提示する手法が、同一の情報を広く一般に向けて発信する手法よりも多く取り入れられている。特に電子商取引の分野では、ユーザの商品購入履歴及び商品ページの閲覧履歴に基づいて、「おすすめ（recommend）」として推奨される他の商品等の情報が提示される機能、所謂レコメンド機能が多用されている。
【０００３】
電子商取引におけるレコメンド機能は、ユーザが商品を購入するために登録したユーザ識別情報による商品の購入履歴、閲覧履歴、ログイン履歴等、又は、ＷｅｂブラウザによりＷｅｂページの閲覧に応じて端末装置側で記憶されるクッキー（Cookie）情報に基づく閲覧履歴等の各種行動情報の記録に基づいて実現される。特に、Ｗｅｂページの閲覧中に、推奨情報の抽出を行なう推奨情報抽出装置へクッキー情報を送信することで、Ｗｅｂページ内に推奨情報をリアルタイムに表示させるシステムが開発されている（特許文献１等）。
【先行技術文献】
【特許文献】
【０００４】
【特許文献１】特表２００４−５３５０１５号公報
【発明の概要】
【発明が解決しようとする課題】
【０００５】
ユーザが特定のＷｅｂページを能動的に閲覧している最中に推奨情報を抽出する仕組みは上述したようにＷｅｂブラウザがクッキー情報を推奨情報抽出装置へ送信し、閲覧中のＷｅｂページのドメイン内の他のＷｅｂページ閲覧履歴、またドメインに関連する購入履歴等の行動情報に基づく抽出によって実現される。更に、Ｗｅｂブラウザで特定のドメイン内におけるＷｅｂページを閲覧している間は、Ｗｅｂブラウザが解釈するスクリプトによって、アクセスすべきＷｅｂページ名を書き換える処理が可能なため、リアルタイムで作成された情報へアクセスさせることが容易に実現できる。また、特定のドメインのＷｅｂページを提供するＷｅｂサーバと、推奨情報抽出装置との間で情報を送受信し合ってからＷｅｂサーバにてＷｅｂページ内の情報を書き換えることも可能である。しかしながらいずれの処理も、ユーザが該当するＷｅｂページを能動的に閲覧していないときには勿論実現することができない。
【０００６】
特定のドメインのＷｅｂページの閲覧へユーザを誘導するための手法として、推奨される商品等の情報へのリンクが埋め込まれた電子メールの配信が実施されている。しかしながら予め推奨情報へのリンクが埋め込まれた電子メールの配信では、Ｗｅｂページを管理する管理者側で、推奨情報を抽出する対象のユーザのリスト化工程、リスト化されたユーザへの推奨情報の抽出処理を推奨情報抽出エンジン管理者へ依頼する工程、抽出された推奨情報をユーザの識別情報と対応付ける工程、ユーザ毎の電子メールへの推奨情報の差し込みを管理者自身又は電子メール配信ベンダで実施する工程等を経る必要がある。これらの工程をバッチ処理で進捗させた場合、推奨情報の抽出から電子メールの受信までには例えば１週間が経過するなどのタイムラグの問題がある。更に電子メールの場合、開封されるタイミングはユーザ依存であるから、推奨情報の抽出から電子メールが開封されるまでのタイムラグは更に大きくなり、ユーザが電子メール内に埋め込まれたリンクからＷｅｂページにアクセスした時点では推奨される商品の在庫が無い状態であるなど、推奨情報を電子メールにて個別に送信することにはデメリットがあった。また、電子メール内に推奨情報を差し込む場合には上述のような多数の工程を経るため、管理者の負担が大きい。
【０００７】
電子メールとしては、ＨＴＭＬ（Hyper Text Markup Language）で記述されたＨＴＭＬメールを汎用的なメーラで利用することができるが、電子メールのメーラはＷｅｂブラウザと違い、ＨＴＭＬにて埋め込まれたスクリプトを解釈しない場合が多く、メーラによって表示される内容をリアルタイムに書き換えることは困難である。
【０００８】
本発明は斯かる事情に鑑みてなされたものであり、電子メールの内容を表示する時点でのリアルタイムな推奨情報を表示させることを容易に実現する推奨情報送信装置、コンピュータプログラム、推奨情報表示システム及び推奨情報表示方法を提供することを目的とする。
【課題を解決するための手段】
【０００９】
本発明に係る推奨情報送信装置は、他装置との間で情報を送受信する通信手段を備え、前記他装置向けの推奨情報を抽出する抽出手段と、抽出した推奨情報を前記通信手段により前記他装置宛てに送信する推奨情報送信装置において、電子メールに含まれる画像の送信要求を受け付ける受付手段と、該受付手段が送信要求を受け付けた時点で、推奨される推奨情報に対応する画像を作成する作成手段とを更に備え、該作成手段が作成した画像を前記通信手段により他装置宛てに送信するようにしてあることを特徴とする。
【００１０】
本発明に係る推奨情報送信装置は、前記受付手段は、送信すべき推奨情報に関連する１又は複数のＷｅｂページに対応付けられている情報及び前記１又は複数のＷｅｂページの閲覧者を識別する情報を前記送信要求と共に受け付け、前記抽出手段は、前記１又は複数のＷｅｂページにおける閲覧者の行動情報に基づき推奨情報を抽出するようにしてあることを特徴とする。
【００１１】
本発明に係る推奨情報送信装置は、前記受付手段は、ＨＴＭＬにおける画像タグに基づき前記ドメイン情報及び閲覧者を識別する情報、並びに前記送信要求を受け付けるようにしてあることを特徴とする。
【００１２】
本発明に係る推奨情報送信装置は、前記電子メールには、前記画像が選択された場合のリンク情報が含まれており、前記通信手段は、前記リンク情報に基づくＷｅｂページの送信要求を前記通信手段により受信するようにしてあり、前記通信手段により受信したＷｅｂページの送信要求に応じて、選択された画像に関する前記送信要求に係るＷｅｂページとは異なるＷｅｂページへの接続情報を前記通信手段により前記端末装置宛てに送信する手段を更に備えることを特徴とする。
【００１３】
本発明に係るコンピュータプログラムは、コンピュータに、他装置との間で情報を送受信させ、前記他装置向けの推奨情報を抽出させ、抽出された推奨情報を前記他装置宛てに送信させるコンピュータプログラムにおいて、前記コンピュータに、電子メールに含まれる画像の送信要求を受け付ける受付手段、及び該受付手段が送信要求を受け付けた時点で、推奨される推奨情報に対応する画像を作成する作成手段として機能させ、作成された画像を他装置宛てに送信させることを特徴とする。
【００１４】
本発明に係る推奨情報表示システムは、画像を表示する表示部、画像を含む電子メールを受信し、受信した電子メールの内、選択された電子メールに含まれる画像を前記表示部へ表示させる電子メール表示部を有する端末装置と、該端末装置との間で情報を送受信する通信手段、及び前記端末装置への推奨情報を抽出する抽出手段を備え、抽出した推奨情報を前記通信手段により前記端末装置宛てに送信する推奨情報送信装置とを含む推奨情報表示システムにおいて、前記電子メール表示部は、前記推奨情報送信装置から送信されるべき画像が含まれる電子メールを受信するようにしてあり、前記電子メールに含まれる画像を表示させる時点で、ユーザ識別情報と共に前記推奨情報送信装置へ前記画像の送信を要求する手段を更に備え、要求に応じて前記推奨情報送信装置から送信された画像を前記表示部に表示させるようにしてあり、前記推奨情報送信装置は、前記端末装置から画像の送信要求を前記ユーザ識別情報と共に受け付ける受付手段と、該受付手段が要求を受け付けた時点で、前記ユーザ識別情報に基づき推奨される推奨情報に対応する画像を作成する作成手段とを備え、前記送信手段は、前記作成手段が作成した画像を前記端末装置宛てに送信するようにしてあることを特徴とする。
【００１５】
本発明に係る推奨情報表示方法は、画像を表示する表示部を備え、電子メールを受信し、受信した電子メールの内、選択された電子メールに含まれる画像を前記表示部へ表示させる端末装置と、該端末装置との間で情報を送受信する通信手段を備え、推奨情報を抽出し、抽出した推奨情報を前記通信手段により前記端末装置宛てに送信する推奨情報送信装置とを含むシステムにて、前記端末装置にて推奨情報を表示させる推奨情報表示方法において、前記端末装置は、前記推奨情報送信装置から送信されるべき画像が含まれる電子メールを受信するようにしてあり、前記電子メールに含まれる画像を表示させる時点で、ユーザ識別情報と共に前記推奨情報送信装置に前記画像の送信を要求し、前記推奨情報送信装置は、前記端末装置からの画像の送信要求を前記ユーザ識別情報と共に受け付け、該送信要求を受け付けた時点で、前記ユーザ識別情報に基づき推奨される推奨情報に対応する画像を作成し、作成した画像を前記端末装置宛てに送信し、前記端末装置は、要求に応じて前記推奨情報送信装置から送信された画像を前記表示部に表示させることを特徴とする。
【００１６】
本発明では、端末装置（他装置）宛てに送信された電子メールが端末装置にて表示される際に、電子メールに含まれる画像の送信要求を推奨情報送信装置へ送信するようにしてあり、送信要求に応じて推奨情報送信装置にて推奨情報が抽出され、画像として端末装置宛てに返信される。これにより、電子メールが発信された時点ではなく、受信された時点でもなく、電子メールが開封された時点における推奨情報を端末装置にて表示させることが可能となる。
【００１７】
本発明では、電子メールに含まれる画像の送信要求には、推奨情報に関する１又は複数のＷｅｂページを識別するための情報と、前記Ｗｅｂページの閲覧者を識別する情報が含まれている。閲覧者の行動履歴を、１又は複数のＷｅｂページ毎に、閲覧者を識別する情報と対応付けて記録しておく処理を推奨情報送信装置にて実行しておくことにより、端末装置から画像の送信要求と共に、前記１又は複数のＷｅｂページに対応付けられている情報及び閲覧者の識別情報を受け取ることで個別に、送信要求があった時点で推奨情報を抽出し、返信することが可能となる。
【００１８】
本発明では、電子メール内の画像の送信要求はＨＴＭＬに基づく画像タグに基づいて行なわれるようにしてある。画像の送信要求を推奨情報送信サーバ画像タグの属性として端末装置を使用するユーザを識別する情報を含めることが可能であり、電子メールのソースを変換することなしに、電子メールの開封時点における情報の提示が可能となる。
【発明の効果】
【００１９】
本発明による場合、ユーザが閲覧するべく電子メールを開封させた時点における推奨情報が推奨情報送信装置で抽出され、抽出された推奨情報が電子メール内の画像として表示される。電子メールを開封させる直前までのユーザの行動、例えば購買履歴、及びＷｅｂページの閲覧履歴に基づく推奨情報、更には電子メールの送信後に情報提供が開始された推奨情報についてもリアルタイムに抽出してユーザへ提示することが可能である。
【００２０】
本発明による場合、電子メールにおいても開封時点のリアルタイムな推奨情報を提示することが可能であるから、在庫切れが起こりやすい商品若しくは旅行パッケージ等の商品情報、更には求人情報等の提示期間が比較的短い情報について効果的な推奨情報を送信することができる。したがって、商品の購入又は情報入手の契機として電子メールの配信の効果を高めることが可能となる。
【図面の簡単な説明】
【００２１】
【図１】本実施の形態における推奨情報表示システムの構成を示すブロック図である。
【図２】情報提供装置にて記憶されているユーザ情報の内容例を示す説明図である。
【図３】推奨情報送信装置にて記憶されている行動情報の内容例を示す説明図である。
【図４】端末装置及び推奨情報送信装置で実行される処理手順の一例を示すフローチャートである。
【図５】端末装置及び推奨情報送信装置で実行される処理手順の一例を示すフローチャートである。
【図６】電子メール内に含まれる画像タグの記載例を示す説明図である。
【図７】端末装置における電子メールの表示画面例を示す説明図である。
【図８】変形例における端末装置及び推奨情報送信装置で実行される処理手順の一例を示すフローチャートである。
【図９】変形例における端末装置及び推奨情報送信装置で実行される処理手順の一例を示すフローチャートである。
【発明を実施するための形態】
【００２２】
以下、本発明をその実施の形態を示す図面に基づいて具体的に説明する。
【００２３】
図１は、本実施の形態における推奨情報表示システムの構成を示すブロック図である。推奨情報表示システムは、複数の端末装置１、情報提供装置２、推奨情報送信装置３及びメールサーバ装置４で構成される。端末装置１、情報提供装置２、推奨情報送信装置３、及びメールサーバ装置４は、いずれもインターネットを含むネットワークＮに接続されており、相互にネットワークＮを介して情報を送受信することが可能である。
【００２４】
端末装置１は、ユーザが使用するパーソナルコンピュータ（ＰＣ：Personal Computer ）であり、デスクトップ型ＰＣ、ノートＰＣ（ラップトップ型ＰＣ）、タブレット端末、又はスマートフォン等の種々の情報端末を用いてよい。
【００２５】
情報提供装置２は、ユーザへＷｅｂベースの情報を提供するＷｅｂサーバを用いた装置である。情報提供装置２は例えば、電子商取引を取り扱うマーチャントが管理し、情報提供装置２では、商品の内容を紹介する詳細情報がＷｅｂページにより提供される。商品としては例えば物品（食料品、日用品、衣料品、医薬品、書籍等）、学習援助、映画若しくは演劇等の娯楽の提供、旅行パッケージの提供、又は法律相談等のサービス、又は証券等の金融商品であってもよい。なお情報提供装置２はマーチャントのみならず、求人情報、広告を提供するサービス提供者によって管理されてもよい。
【００２６】
推奨情報送信装置３は、Ｗｅｂサーバを用いた装置であり、情報提供装置２から提供される情報の内、ユーザの要望、嗜好に合致する推奨されるべき情報を抽出して提供する装置である。推奨情報送信装置３は、推奨情報の抽出をサービスとして提供するレコメンドサービス提供者によって管理される。
【００２７】
メールサーバ装置４は、ユーザのメールアドレス宛に電子メールを送信する装置である。メールサーバ装置４は、情報提供装置２を管理するマーチャント等によって管理される。なおメールサーバ装置４は、第三者のメールベンダによって管理されてもよいし、推奨情報送信装置３の管理者によって管理されてもよい。
【００２８】
図１に示すように構成される本実施の形態における推奨情報表示システムでは、情報提供装置２にて扱う商品についての推奨情報を表示させるための電子メールをメールサーバ装置４から送信し、電子メールが端末装置１にて開封された時点での推奨情報が推奨情報送信装置３から端末装置１へ送信される。電子メールによる推奨情報の端末装置１への送信を実現するための構成について以下に詳細を説明する。なお以下では情報提供装置２が扱う商品の例として衣料品を挙げて説明する。
【００２９】
端末装置１は、制御部１０、記憶部１１、一時記憶部１２、表示部１３、操作部１４及び通信部１５を備える。
【００３０】
制御部１０は、ＣＰＵ（Central Processing Unit ）を用いる。制御部１０は、記憶部１１に記憶されている各種プログラムを読み出して実行することにより、端末装置１に多様な機能を発揮させる。一時記憶部１２は、ＤＲＡＭ（Dynamic Random Access Memory）等のＲＡＭを用いる。一時記憶部１２は、制御部１０の処理によって生成される情報を一時的に記憶する。
【００３１】
記憶部１１は、ハードディスク又はフラッシュメモリ等の不揮発性の記憶媒体を用いる。記憶部１１には、電子メールを送受信し、電子メールに含まれる文字又は画像を表示部１３へ表示させる電子メール表示部の機能を制御部１０に発揮させるメーラプログラム１１０が記憶されている。記憶部１１には、ＨＴＭＬベースのＷｅｂページを受信し、Ｗｅｂページに含まれる文字、画像、又は動画像を表示部１３へ表示させるＷｅｂブラウザ機能を制御部１０に発揮させるブラウザプログラム１１１が記憶されている。また記憶部１１には、Ｗｅｂブラウザとして機能する制御部１０により、Ｗｅｂページの配信元の他装置から送信されるcookie情報１１２が記憶される。
【００３２】
表示部１３は、例えば液晶ディスプレイを用いる。勿論他の種類のディスプレイを用いてもよい。制御部１０は、表示部１３へ文字又は画像を含む各種画面を表示させる。操作部１４は、キーボード及びポインティングデバイス等の入力インタフェースを用いる。制御部１０は、入力インタフェースによって入力した操作情報に基づいて各構成部を制御する。なお表示部１３及び操作部１４は、タッチパネル内蔵型ディスプレイとして一体的に構成されてもよい。
【００３３】
通信部１５は、インターネットを含むネットワークＮに接続されており、ネットワークＮを介した他装置との間での情報の送受信を実現する。制御部１０は通信部１５によって、電子メールを送受信し、情報提供装置２からＷｅｂページを受信し、更に推奨情報送信装置３から推奨情報を受信し、各装置宛てに後述で説明する各種情報を送信する。
【００３４】
情報提供装置２は、制御部２０、記憶部２１、一時記憶部２２、及び通信部２３を備える。
【００３５】
制御部２０は、ＣＰＵを用いる。制御部２０は記憶部２１に記憶されている図示しないサーバプログラムを読み出して実行することにより、Ｗｅｂサーバ機能を発揮し、ネットワークＮを介して複数の端末装置１にＷｅｂページを提供する。Ｗｅｂページのリソースは記憶部２１に記憶されている。一時記憶部２２は、ＤＲＡＭ等のＲＡＭを用いる。一時記憶部２２は、制御部２０の処理によって生成される情報を一時的に記憶する。
【００３６】
記憶部２１は、ハードディスク等の不揮発性の記憶媒体を用いる。記憶部２１には、サーバプログラムが記憶されているほか、Ｗｅｂページのリソース（ＨＴＭＬを始めとする各種言語にて各ページを記述したソース、静止画像、及び動画像等）が記憶されている。更に記憶部２１には、情報提供装置２を管理するマーチャントにて電子商取引を行なうために登録されている各ユーザのユーザＩＤ、氏名、電子メールアドレス等を含むユーザ情報２１０と、提供するアイテム（衣料品）の品名、品番、価格、又は品数等を含むアイテム情報２１１とが記憶されている。情報提供装置２から提供されるＷｅｂページは、アイテム情報２から動的に生成されるようにしてもよい。
【００３７】
通信部２３は、ネットワークＮに接続されており、ネットワークＮを介した他装置との間での情報の送受信を実現する。制御部２０は通信部２３によってＷｅｂページの要求を受信し、また他装置へＷｅｂページを送信する。
【００３８】
推奨情報送信装置３は、制御部３０、記憶部３１、一時記憶部３２、及び通信部３３を備える。
【００３９】
制御部３０は、ＣＰＵを用いる。制御部３０は記憶部３１に記憶されている推奨情報送信プログラム３Ｐを含むサーバプログラムを読み出して実行することにより、Ｗｅｂサーバ機能及びを発揮し、更に後述する処理を実行して端末装置１からのＨＴＭＬベースの要求を受け付けて推奨情報を送信することが可能である。一時記憶部３２は、ＤＲＡＭ等のＲＡＭを用いる。一時記憶部３２は、制御部３０の処理によって生成される情報を一時的に記憶する。
【００４０】
記憶部３１は、ハードディスク等の不揮発性の記憶媒体を用いる。記憶部３１には、サーバコンピュータを本発明に係る推奨情報送信装置として機能させる推奨情報送信プログラム３Ｐが記憶されているほか、所定のアルゴリズムに基づき推奨情報を抽出するレコメンドエンジン３１０、情報提供装置２にて提供されるアイテムの画像、タイトル、商品説明、価格、及び在庫数を含むアイテム情報３１１、及び、ユーザの行動履歴を記録した行動情報３１２が記憶される。アイテム情報３１１は所定の頻度（例えば、日毎、１２時間毎、又は一週間毎等）で更新される。また、アイテム情報３１１及び行動情報３１２は、異なるマーチャントにより夫々管理される複数の情報提供装置２毎、即ち異なるドメイン別に記憶されている。なお、１つのマーチャントにより管理されるドメインは複数あってもよい。
【００４１】
通信部３３は、ネットワークＮに接続されており、ネットワークＮを介した他装置との間での情報の送受信を実現する。制御部３０は、通信部３３によって端末装置１からのコンテンツ要求等を受け付けて推奨情報を端末装置１宛てに送信することが可能である。また制御部３０は通信部３３によって外部装置からアイテム情報３１１の更新を受け付けてもよい。
【００４２】
次に、情報提供装置２の記憶部２１に記憶されるユーザ情報２１０の例を、図面を参照して説明する。図２は、情報提供装置２にて記憶されているユーザ情報２１０の内容例を示す説明図である。ユーザ情報２１０には図２に示すように、各ユーザを識別するユーザＩＤと、ユーザの氏名、性別、年齢、住所等の情報と、更に電子メールのアドレスとが対応付けて記憶されている。更に各ユーザＩＤには、情報提供装置２から端末装置１へ初めてＷｅｂページが送信される際に端末装置１へ送信され、端末装置１の記憶部１１に記憶されるcookie情報１１２のcookie ID が対応付けて記憶されている。ユーザＩＤとの対応付けは、ユーザ情報２１０の登録を受け付ける際に、端末装置１のＷｅｂブラウザから送信されたcookie情報１１２のcookie ID を対応付けるようにしてもよいし、ユーザＩＤと図示しないパスワードにてログインがなされた時に、端末装置１のＷｅｂブラウザから送信されたcookie情報１１２のcookie ID を対応付けるようにしてもよい。同一のユーザが複数の端末装置１を使用する場合、又は異なるＷｅｂブラウザを使用する場合を考慮して、同一のユーザＩＤに複数のcookie ID を対応付けるようにしてもよい。なお、ユーザ情報２１０においてはcookie IDは必須ではなく、cookie IDは推奨情報送信装置３にて管理されている構成としてもよい。
【００４３】
更に推奨情報送信装置３の記憶部３１に記憶される行動情報の例を、図面を参照して説明する。図３は、推奨情報送信装置３にて記憶されている行動情報３１２の内容例を示す説明図である。図３に示す行動情報３１２の内容例は、図２に示したユーザ情報２１０と対応する。即ち図２のユーザ情報２１０と同一のドメインにおける行動情報３１２である。行動情報３１２には図３に示すように、ユーザを識別するユーザＩＤと、Ｗｅｂページの閲覧中にブラウザから送信されるcookie情報１１２と、各商品の詳細ページの閲覧の履歴又は各商品の購入の履歴等の行動内容とが対応付けて記録されている。また各履歴には時間情報（ＴＳ：Time Stamp）が対応付けられているとよい。これにより、古い行動情報は破棄したり、同時期の行動内容間を関連付けさせたり、最新の履歴に基づいた抽出をしたりすることが可能である。なお、ユーザＩＤではなく[cookie ID ]のみが行動内容と対応付けられて記録されるようにしてもよいし、ユーザＩＤのみが行動内容と対応付けられて記録してログイン時の行動内容のみを行動情報３１２として記録するようにしてもよい。
【００４４】
このように構成される推奨情報表示システムにおいて、端末装置１にて電子メールが開封された時点での推奨情報が端末装置１にて表示されるまでの処理手順について説明する。図４及び図５は、端末装置１及び推奨情報送信装置３で実行される処理手順の一例を示すフローチャートである。
【００４５】
まず端末装置１において、メーラプログラム１１０に基づく制御部１０のメーラ機能により、メールサーバ装置４から配信された電子メールを受信する（ステップＳ１０１）。情報提供装置２からメールサーバ装置４経由で配信される電子メールはＨＴＭＬメールであり、後述するように、宛先の電子メールアドレスにユーザ情報２１０にて対応付けられているユーザＩＤ及びcookie ID 、配信の依頼元である情報提供装置２を管理するマーチャントの識別情報（マーチャントＩＤ）が含まれている。マーチャントの識別情報は、情報提供装置２が提供するＷｅｂページのドメインを示す情報（ドメイン名又は識別情報）であってもよい。
【００４６】
図６は、電子メール内に含まれる画像タグの記載例を示す説明図である。ＨＴＭＬメールには図６に示す如く、ユーザへ推奨されるアイテムの画像が画像タグ（<img> ）にて含まれている。しかしながら、電子メールがメールサーバ装置４から送信される時点では、どのようなアイテムが推奨されるか不明であるため、画像タグ内のリソース属性（src=”...” ）内に、画像の要求先のドメイン名（推奨情報送信装置３のドメイン）、宛先であるユーザを識別する情報（暗号化されたユーザＩＤ又はcookie ID ）、配信の依頼元である情報提供装置２を管理するマーチャントの識別情報（マーチャントＩＤ）が少なくとも含まれている。そして、画像タグは図６に示すようにアンカータグ（<a> ）内に含まれており、画像が選択された場合に関係するコンテンツ要求が送信されるようにしてある。
【００４７】
図６に示す例では、ユーザを識別する情報及びマーチャントの識別情報のみならず、マーチャントを配信元として複数の電子メールが送信される場合に、いずれの電子メールが開封されたかを識別するためのメール識別情報（camp変数）、電子メールに複数の画像が含まれる場合に、いずれの画像が選択されたかを示すための位置情報（pos 変数及びspec変数）が含まれている。なお、リソース属性の中身には、どのような推奨情報を送信させるかのフィルタ情報、例えば、推奨情報の検索キーとなるアイテムＩＤ、除外すべきアイテムのアイテムＩＤ、推奨すべきカテゴリの識別情報、除外すべきカテゴリの識別情報、最低金額、又は最高金額等を含むようにしてもよい。発売開始又は終了に関する日時、人気順位等のフィルタ情報であってもよい。
【００４８】
なお各画像タグは、テーブルタグ（<table> ）又はＤＩＶタグ（<div> ）を用いて配置されるとよい。画像の表示位置、色等の電子メールのデザインをスタイルシートで変更することが可能なようにテンプレート化させることができ、マーチャント側での管理を容易化できる。
【００４９】
図４及び図５に戻り、説明を続ける。端末装置１において、メーラプログラム１１０に基づく制御部１０のメーラ機能により、受信済みの電子メールのリストが表示部１３に表示される（ステップＳ１０２）。制御部１０は、操作部１４により、リストから情報提供装置２からの電子メールが選択されたか否か判断する（ステップＳ１０３）。選択されていないと判断された場合（Ｓ１０３：ＮＯ）、制御部１０は処理をステップＳ１０２へ戻し、上述の電子メールが選択されるまで待機する。電子メールが選択されるまでに、メーラプログラム１１０に基づくメーラ機能は終了及び再起動を繰り返してもよいことは勿論であり、長らく選択されずに未開封のままであっても以下の処理は可能である。
【００５０】
ステップＳ１０３において電子メールが選択されたと判断された場合（Ｓ１０３：ＹＥＳ）、電子メールのソース（ＨＴＭＬ）に基づき、電子メールに含まれる画像の送信要求を推奨情報送信装置３宛てに送信する（ステップＳ１０４）。このとき制御部１０は詳細には、画像タグ内のリソース属性に含まれる画像の要求先のドメイン（推奨情報送信装置３）へ、該ドメイン以下の情報（ユーザを識別する情報、及びマーチャントの識別情報）を送信する。なおステップＳ１０４の処理は、電子メールが選択されたと判断され、更にメーラのセキュリティ機能により、画像の表示が許可された場合に初めて実行されるようにしてもよい。
【００５１】
推奨情報送信装置３において制御部３０は、端末装置１からの画像の送信要求を受信する（ステップＳ２０１）。制御部３０は、受信した送信要求に含まれるマーチャントの識別情報に対応する行動情報３１２を、マーチャント別に記憶部３１に記憶してある行動情報３１２の内から読み出す（ステップＳ２０２）。制御部３０は、受信した送信要求に含まれるユーザを識別する情報により、ステップＳ２０２にて読み出された行動情報３１２からユーザの行動内容を抽出する（ステップＳ２０３）。
【００５２】
次に制御部３０は、レコメンドエンジン３１０を用い、ステップＳ２０３で抽出された行動内容に基づき、送信要求を受信した時点においてユーザへ推奨される商品の情報（アイテムＩＤ）を特定する（ステップＳ２０４）。
【００５３】
ステップＳ２０４において推奨される商品の特定は例えば以下のように行なう。例えば画像の送信要求に含まれるユーザの識別情報がユーザＩＤ「0012345 」であるとする。この場合、制御部３０は、まず図３における「ユーザＩＤ」が「0012345 」のユーザの「商品００５閲覧」の行動情報から、同一の行動内容「商品００５閲覧」と相関のある行動情報を抽出する。例えば、各ユーザの行動内容によって、商品同士の相関が形成され、記憶されている。ユーザＩＤ「0034567 」というユーザが「商品００５」を閲覧し、且つ「商品００８」を購入したことによって、「商品００５」と「商品００８」との相関が形成される。これにより、「商品００５閲覧」の行動情報と相関のある「商品００８」が抽出される。これにより、キーになる商品（ここでは「商品００５」）を閲覧した他のユーザが結果的に購入したものが推奨情報として抽出される。
【００５４】
なおどのように推奨情報を抽出すべきかの条件を、端末装置１からの画像の送信要求に含めるようにしてもよい。即ち、メールサーバ装置４から送信される電子メールに含まれる画像タグ内に、抽出条件を示すパラメータを挿入しておくとよい（図６のspec属性）。例えば、（１）対象のユーザが過去に「閲覧した商品」を「閲覧した他のユーザ」が次によく「閲覧した商品」を抽出するのか、（２）対象のユーザが過去に「閲覧した商品」を「閲覧した他のユーザ」が結果的に「購入した商品」を抽出するのか（上述の例）、（３）対象のユーザが過去に「閲覧した商品」を「購入した他のユーザ」が「共に購入した他の商品」を抽出するのか、（４）対象のユーザが過去に「閲覧した商品」を「購入した他のユーザ」がその後「購入した商品」を抽出するのか、（５）対象のユーザが過去に「購入した商品」を「閲覧した他のユーザ」が次によく「閲覧した他の商品」を抽出するのか、（６）対象のユーザが過去に「購入した商品」を「閲覧した他のユーザ」が結果的に「購入した他の商品」を抽出するのか、（７）対象のユーザが過去に「購入した商品」を「購入した他のユーザ」が「共に購入した他の商品」を抽出するのか、（８）対象のユーザが過去に「購入した商品」を「購入した他のユーザ」がその後「購入した他の商品」を抽出するのか、を夫々示すパラメータを指定することで、抽出条件を変更することができる。このように、送信する電子メール内に含めるパラメータを変更することで容易に推奨情報の抽出条件を変更することができる。したがって、情報提供装置２を管理するマーチャント側で、電子メールを配信するタイミング毎に抽出条件を変更したり、配信先のユーザのカテゴリ別に抽出条件を変更したりすることが容易になる。
【００５５】
制御部３０は、ステップＳ２０４で特定された相関のある商品の情報（アイテムＩＤ）から、詳細な商品の情報（商品画像、品名、価格、説明テキスト等）をアイテム情報３１１から抽出する（ステップＳ２０５）。このとき、アイテム情報３１１に「商品００８」が存在している（在庫が有る）場合に該商品の情報が抽出される。価格等の詳細な情報もその時点での最新の情報が抽出される。制御部３０は、抽出した商品の情報を一時記憶部３２に記憶する（ステップＳ２０６）。なおステップＳ２０６にて制御部３０は、画像の送信要求と対応付けて記憶しておく。これにより、何れの端末装置１から要求された画像のデータを後述の処理で送信するかを識別することが可能である。複数の画像を送信する場合は、何れの位置に表示される画像であるかを識別して記憶する。
【００５６】
制御部３０は、ステップＳ２０５で抽出した商品の情報に基づき、商品の内容を示す画像を作成する（ステップＳ２０７）。制御部３０は、作成された画像の画像データをステップＳ２０６で記憶した商品の情報と対応付けて一時記憶部３２に記憶し（ステップＳ２０８）、作成された画像の画像データを画像の送信要求元の端末装置１宛てに送信する（ステップＳ２０９）。
【００５７】
端末装置１の制御部１０は、ステップＳ１０４にて送信した送信要求へのレスポンスとしてステップＳ２０８により送信された画像データを受信する（ステップＳ１０５）。制御部１０は、ステップＳ１０３にて選択された電子メールのソースに基づき、電子メールに含まれる文字及び受信した画像データに基づく画像をレイアウトした電子メールの表示画面を表示部１３に表示させる（ステップＳ１０６）。
【００５８】
図７は、端末装置１における電子メールの表示画面例を示す説明図である。電子メールの表示画面には、推奨情報送信装置３から送信された画像データに基づく画像が表示される。画像には図７内の破線で示すように、商品名、価格、商品説明が画像化されて含まれている。ユーザ毎に推奨される情報が異なる場合が多いために、ユーザ毎に表示される画像の内容は変わり得る。つまり、端末装置１の制御部１０は、画像の送信要求に応じて画像データを受信し、受信した画像データに基づく画像を画像タグに基づいて表示させるのみであって、商品名等の文字情報を受信しない。制御部１０は、メーラの機能によって電子メールのＨＴＭＬソースを書き換える処理を行なうことなしに、ユーザ個別のコンテンツを電子メール内に表示させることができる。
【００５９】
図４及び図５に戻り説明を続ける。
制御部１０は、表示部１３に表示されている電子メールの表示画面において画像の選択を受け付ける（ステップＳ１０７）。電子メール内の画像を表示するための画像タグは、上述したように所定のドメイン（推奨情報送信装置３内）へのアンカータグ（<a> ）に含まれているため、制御部１０は、選択された画像が埋め込まれているアンカータグ内のリンク先情報（href属性）に基づき、ブラウザプログラム１１１によるブラウザを起動させ（ステップＳ１０８）、該ブラウザにて表示させるコンテンツ要求を推奨情報送信装置３へ送信する（ステップＳ１０９）。
【００６０】
推奨情報送信装置３の制御部３０は、通信部３３により、画像に関係するコンテンツ要求を受信する（ステップＳ２１０）。制御部３０は、コンテンツ要求に含まれるリンク属性の情報に基づき、選択された画像の商品について詳細を示す情報提供装置２におけるＷｅｂページへのリダイレクトレスポンスをアイテム情報３１１に基づき抽出して返信する（ステップＳ２１１）。ステップＳ２１１において制御部３０は、ステップＳ２０６にて、何れの端末装置１から要求された画像であって、何れの位置に表示される画像であるかを識別して記憶しておいた商品の情報に基づいて、いずれの商品に対応する画像が選択されたかを特定し、情報提供装置２におけるＷｅｂページのリダイレクトレスポンスを作成して返信する。なおこのとき制御部３０は、画像が選択された回数を計測しておいてもよいし、計数を商品別に行なうようにしてもよい。
【００６１】
端末装置１の制御部１０は、推奨情報送信装置３からのレスポンスを通信部１５により受信し（ステップＳ１１０）、ステップＳ１０８にて起動させたブラウザの機能により、受信したレスポンスに基づき、情報提供装置２へ詳細ページのコンテンツ要求を送信し（ステップＳ１１１）、コンテンツ要求に応じて情報提供装置２から送信されたＷｅｂページを受信し（ステップＳ１１２）、受信したＷｅｂページに基づきブラウザ画面を表示部１３に表示させ（ステップＳ１１３）、処理を終了する。
【００６２】
上述の処理手順により、受信された電子メールの内容を表示するべく推奨情報送信装置３へ画像の送信が要求された時点で、推奨情報送信装置３にて推奨情報が抽出される。推奨情報送信装置３におけるアイテム情報３１１を適宜更新（日次更新）することにより、情報提供装置２における提示期間を超過してしまった商品が抽出されることを回避することができる。
【００６３】
なお、上述の処理手順の内、ステップＳ２０７及びＳ２０８の画像の生成処理は、推奨情報送信装置３とは異なる他装置で実施される構成としてもよい。この場合制御部３０は、ステップＳ２０７において、画像の生成を行なう他装置へのリダイレクト要求として抽出された詳細な商品の情報を端末装置１へ返信する。端末装置１からのリダイレクト要求に基づくアクセスによって他装置側で画像の作成処理が実行され、電子メール内に表示されるべき画像が他装置から端末装置１へ送信される。画像の生成を他装置にて実行することにより、負荷分散が可能である。
【００６４】
このように本実施の形態における推奨情報表示システムでは、電子メールの本文内で表示される場合であっても、電子メールが開封された時点における推奨情報をリアルタイムに抽出するので、在庫切れの商品又は開示期間が終了した情報等が推奨情報として送信される事態が回避される。また、電子メールが開封された日から売り出した商品、その日、週に人気である商品を推奨情報として表示させることができる。
【００６５】
従来、ＨＴＭＬベースでのリアルタイムな情報の表示は例えば、ＷｅｂページであればJavascript（登録商標）を用いてソースの書き換えを行なうことで実現することができた。更に、ＪＳＯＮＰ（JavaScript（登録商標） Object Notation with Padding ）等の技術を用いることも可能である。しかしながら汎用的なメーラプログラム１１０に基づいて電子メールの内容（文字及び画像）を表示する場合、ＨＴＭＬメールであっても、ソースの書き換えがセキュリティの問題で困難であり、また画像のレイアウト制御が困難である。そこで本実施の形態における推奨情報表示システムのように、ＨＴＭＬの画像タグ（<img> ）を用い、src 属性で種々のパラメータを設定可能に構成してＨＴＭＬメールのソースに埋め込むことにより、画像を推奨情報送信装置３側で作成し、リアルタイムな推奨情報の提示を実現することができる。更に、推奨情報送信装置３側で、何れの電子メール宛て、何れの商品の画像の画像データを何れの位置（何番目）に表示するべく送信したかを記憶しておくことで、端末装置１からのコンテンツ要求に応じて情報提供装置２からＷｅｂページを送信させるリダイレクトレスポンスを実現し、直接的に情報提示装置２へのアクセスにつなげることが可能である。
【００６６】
更に本実施の形態における推奨情報表示システムでは、電子メールに各ユーザの識別情報と、情報提供装置２の管理者（マーチャント）の識別情報とを含ませることで推奨情報の提示が実現されるため、各ユーザ向けに予め抽出した推奨情報を電子メール内に差し込むなどの工程が不要である。またテンプレート化された電子メールを送信させることで実現するので、情報提供装置２を管理する管理者が特別な工程をメールベンダに依頼することが不要となり、管理者自身で推奨情報を含む電子メールの配信を管理することが可能であり、更に、管理者自身で抽出条件を適宜設定することも容易である。
【００６７】
（変形例）
変形例として推奨情報送信装置３では、以下のような処理手順を実行するようにしてもよい。図８及び図９は、変形例における端末装置と推奨情報送信装置との間で実行される処理手順の一例を示すフローチャートである。図８及び図９のフローチャートに示す処理手順は、図４及び図５のフローチャートに示した処理手順と同一の手順を含むので、これらの同一の手順には同一のステップ番号を付して詳細な説明を省略する。
【００６８】
変形例において推奨情報送信装置３の制御部３０は、ステップＳ２０５で商品を抽出した後、抽出された商品に基づき作成されるべき画像データが一時記憶部３２に記憶されている画像データと同一になるか否かを判断する（ステップＳ２２０）。制御部３０は、同一と判断した場合（Ｓ２２０：ＹＥＳ）、一時記憶部３２に記憶されている画像データを読み出し（ステップＳ２２１）、画像を作成、記憶する処理（ステップＳ２０７，Ｓ２０８）を省略して画像データを画像の送信要求元の端末装置１宛てに送信する（Ｓ２０９）。ステップＳ２２０にて同一でないと判断した場合（Ｓ２２０：ＮＯ）、画像を作成、記憶する処理（Ｓ２０７，Ｓ２０８）を行なってから送信する。ステップＳ２２０の判断により、同一の商品であっても、画像、価格等の詳細な情報が更新されていれば新しい画像が作成されるが、同一の画像となる場合には画像化の処理が省略される。これにより、推奨情報送信装置３における処理負荷を低減し、更に端末装置１への応答速度を高速化することができる。
【００６９】
本実施の形態においては、メールサーバ装置４から配信される電子メールは、ユーザ情報２１０にて電子商取引を行なうために登録されているユーザ向けに送信される構成とした。しかしながら、他サービスで管理されているメールアドレス宛に送信されたものであって実現可能である。メールアドレスに紐づけられるユーザＩＤ又はcookie ID毎の行動情報の記録を推奨情報送信装置３にて行なっておき、他サービスで管理されているメールアドレス宛の電子メールにcookie ID（又はユーザＩＤ）と、及び推奨情報の対象であるマーチャントの識別情報が含まれていれば、電子メール受信者の行動情報に基づき、電子メール開封時における推奨情報の表示が可能になる。
【００７０】
なお、上述のように開示された本実施の形態はすべての点で例示であって、制限的なものではないと考えられるべきである。本発明の範囲は、上記した意味ではなく、特許請求の範囲によって示され、特許請求の範囲と均等の意味および範囲内でのすべての変更が含まれることが意図される。
【符号の説明】
【００７１】
１  端末装置
１０  制御部
１１  記憶部
１１０  メーラプログラム（電子メール表示部）
１３  表示部
１５  通信部（通信手段）
３  推奨情報送信装置
３０  制御部（作成手段）
３Ｐ  推奨情報送信プログラム
３１０  レコメンドエンジン（抽出手段）
３３  通信部（通信手段）
【図１】
2016170452.tif 000003
【図２】
2016170452.tif 000004
【図３】
2016170452.tif 000005
【図４】
2016170452.tif 000006
【図５】
2016170452.tif 000007
【図６】
2016170452.tif 000008
【図７】
2016170452.tif 000009
【図８】
2016170452.tif 000010
【図９】
2016170452.tif 000011
【手続補正書】
【提出日】平成28年3月3日(2016.3.3)
【手続補正１】
【補正対象書類名】明細書
【補正対象項目名】０００９
【補正方法】変更
【補正の内容】
【０００９】
本発明に係る推奨情報送信装置は、他装置との間で情報を送受信する通信手段を備え、前記他装置向けの推奨情報を抽出する抽出手段と、抽出した推奨情報を前記通信手段により前記他装置宛てに送信する推奨情報送信装置において、電子メールに含まれる画像の送信要求を受け付ける受付手段と、該受付手段が送信要求を受け付けた時点で、推奨される推奨情報に対応する品名、価格、又は説明の文字情報を画像化した画像を作成する作成手段とを更に備え、該作成手段が作成した画像を前記通信手段により他装置宛てに送信するようにしてあることを特徴とする。
【手続補正２】
【補正対象書類名】明細書
【補正対象項目名】００１０
【補正方法】変更
【補正の内容】
【００１０】
本発明に係る推奨情報送信装置は、前記受付手段は、送信すべき推奨情報に関連する１又は複数のＷｅｂページに対応付けられている提供者識別情報及び前記１又は複数のＷｅｂページの閲覧者を識別する情報を前記送信要求と共に受け付け、前記抽出手段は、前記１又は複数のＷｅｂページにおける閲覧者の行動情報に基づき推奨情報を抽出するようにしてあることを特徴とする。
【手続補正３】
【補正対象書類名】明細書
【補正対象項目名】００１１
【補正方法】変更
【補正の内容】
【００１１】
本発明に係る推奨情報送信装置は、前記受付手段は、ＨＴＭＬにおける画像タグに基づき前記提供者識別情報及び閲覧者を識別する情報、並びに前記送信要求を受け付けるようにしてあることを特徴とする。
【手続補正４】
【補正対象書類名】明細書
【補正対象項目名】００１２
【補正方法】変更
【補正の内容】
【００１２】
本発明に係る推奨情報送信装置は、前記電子メールには、前記画像が選択された場合のリンク情報が含まれており、前記通信手段は、前記リンク情報に基づくＷｅｂページの送信要求を前記通信手段により受信するようにしてあり、前記通信手段により受信したＷｅｂページの送信要求に応じて、選択された画像に関する前記送信要求に係るＷｅｂページとは異なるＷｅｂページへの接続情報を前記通信手段により前記他装置宛てに送信する手段を更に備えることを特徴とする。
【手続補正５】
【補正対象書類名】明細書
【補正対象項目名】００１３
【補正方法】変更
【補正の内容】
【００１３】
本発明に係るコンピュータプログラムは、コンピュータに、他装置との間で情報を送受信させ、前記他装置向けの推奨情報を抽出させ、抽出された推奨情報を前記他装置宛てに送信させるコンピュータプログラムにおいて、前記コンピュータに、電子メールに含まれる画像の送信要求を受け付ける受付手段、及び該受付手段が送信要求を受け付けた時点で、推奨される推奨情報に対応する品名、価格、又は説明の文字情報を画像化した画像を作成する作成手段として機能させ、作成された画像を他装置宛てに送信させることを特徴とする。
【手続補正６】
【補正対象書類名】明細書
【補正対象項目名】００１４
【補正方法】変更
【補正の内容】
【００１４】
本発明に係る推奨情報表示システムは、画像を表示する表示部、画像を含む電子メールを受信し、受信した電子メールの内、選択された電子メールに含まれる画像を前記表示部へ表示させる電子メール表示部を有する端末装置と、該端末装置との間で情報を送受信する通信手段、及び前記端末装置への推奨情報を抽出する抽出手段を備え、抽出した推奨情報を前記通信手段により前記端末装置宛てに送信する推奨情報送信装置とを含む推奨情報表示システムにおいて、前記電子メール表示部は、前記推奨情報送信装置から送信されるべき画像が含まれる電子メールを受信するようにしてあり、前記電子メールに含まれる画像を表示させる時点で、ユーザ識別情報と共に前記推奨情報送信装置へ前記画像の送信を要求する手段を更に備え、要求に応じて前記推奨情報送信装置から送信された画像を前記表示部に表示させるようにしてあり、前記推奨情報送信装置は、前記端末装置から画像の送信要求を前記ユーザ識別情報と共に受け付ける受付手段と、該受付手段が要求を受け付けた時点で、前記ユーザ識別情報に基づき推奨される推奨情報に対応する品名、価格、又は説明の文字情報を画像化した画像を作成する作成手段とを備え、前記作成手段が作成した画像を前記通信手段により前記端末装置宛てに送信するようにしてあることを特徴とする。
【手続補正７】
【補正対象書類名】明細書
【補正対象項目名】００１５
【補正方法】変更
【補正の内容】
【００１５】
本発明に係る推奨情報表示方法は、画像を表示する表示部を備え、電子メールを受信し、受信した電子メールの内、選択された電子メールに含まれる画像を前記表示部へ表示させる端末装置と、該端末装置との間で情報を送受信する通信手段を備え、推奨情報を抽出し、抽出した推奨情報を前記通信手段により前記端末装置宛てに送信する推奨情報送信装置とを含むシステムにて、前記端末装置にて推奨情報を表示させる推奨情報表示方法において、前記端末装置は、前記推奨情報送信装置から送信されるべき画像が含まれる電子メールを受信するようにしてあり、前記電子メールに含まれる画像を表示させる時点で、ユーザ識別情報と共に前記推奨情報送信装置に前記画像の送信を要求し、前記推奨情報送信装置は、前記端末装置からの画像の送信要求を前記ユーザ識別情報と共に受け付け、該送信要求を受け付けた時点で、前記ユーザ識別情報に基づき推奨される推奨情報に対応する品名、価格、又は説明の文字情報を画像化した画像を作成し、作成した画像を前記端末装置宛てに送信し、前記端末装置は、要求に応じて前記推奨情報送信装置から送信された画像を前記表示部に表示させることを特徴とする。
【手続補正８】
【補正対象書類名】特許請求の範囲
【補正対象項目名】全文
【補正方法】変更
【補正の内容】
【特許請求の範囲】
【請求項１】
他装置との間で情報を送受信する通信手段を備え、前記他装置向けの推奨情報を抽出する抽出手段と、抽出した推奨情報を前記通信手段により前記他装置宛てに送信する推奨情報送信装置において、
電子メールに含まれる画像の送信要求を受け付ける受付手段と、
該受付手段が送信要求を受け付けた時点で、推奨される推奨情報に対応する品名、価格、又は説明の文字情報を画像化した画像を作成する作成手段と
を更に備え、
該作成手段が作成した画像を前記通信手段により他装置宛てに送信するようにしてある
ことを特徴とする推奨情報送信装置。
【請求項２】
前記受付手段は、送信すべき推奨情報に関連する１又は複数のＷｅｂページに対応付けられている提供者識別情報及び前記１又は複数のＷｅｂページの閲覧者を識別する情報を前記送信要求と共に受け付け、
前記抽出手段は、前記１又は複数のＷｅｂページにおける閲覧者の行動情報に基づき推奨情報を抽出するようにしてある
ことを特徴とする請求項１に記載の推奨情報送信装置。
【請求項３】
前記受付手段は、ＨＴＭＬ（Hyper Text Markup Language）における画像タグに基づき前記提供者識別情報及び閲覧者を識別する情報、並びに前記送信要求を受け付けるようにしてある
ことを特徴とする請求項２に記載の推奨情報送信装置。
【請求項４】
前記電子メールには、前記画像が選択された場合のリンク情報が含まれており、
前記通信手段は、前記リンク情報に基づくＷｅｂページの送信要求を前記通信手段により受信するようにしてあり、
前記通信手段により受信したＷｅｂページの送信要求に応じて、選択された画像に関する前記送信要求に係るＷｅｂページとは異なるＷｅｂページへの接続情報を前記通信手段により前記他装置宛てに送信する手段を更に備える
ことを特徴とする請求項１から３のいずれか１つに記載の推奨情報送信装置。
【請求項５】
コンピュータに、他装置との間で情報を送受信させ、前記他装置向けの推奨情報を抽出させ、抽出された推奨情報を前記他装置宛てに送信させるコンピュータプログラムにおいて、
前記コンピュータに、
電子メールに含まれる画像の送信要求を受け付ける受付手段、及び
該受付手段が送信要求を受け付けた時点で、推奨される推奨情報に対応する品名、価格、又は説明の文字情報を画像化した画像を作成する作成手段
として機能させ、
作成された画像を他装置宛てに送信させる
ことを特徴とするコンピュータプログラム。
【請求項６】
画像を表示する表示部、画像を含む電子メールを受信し、受信した電子メールの内、選択された電子メールに含まれる画像を前記表示部へ表示させる電子メール表示部を有する端末装置と、該端末装置との間で情報を送受信する通信手段、及び前記端末装置への推奨情報を抽出する抽出手段を備え、抽出した推奨情報を前記通信手段により前記端末装置宛てに送信する推奨情報送信装置とを含む推奨情報表示システムにおいて、
前記電子メール表示部は、
前記推奨情報送信装置から送信されるべき画像が含まれる電子メールを受信するようにしてあり、
前記電子メールに含まれる画像を表示させる時点で、ユーザ識別情報と共に前記推奨情報送信装置へ前記画像の送信を要求する手段を更に備え、
要求に応じて前記推奨情報送信装置から送信された画像を前記表示部に表示させるようにしてあり、
前記推奨情報送信装置は、
前記端末装置から画像の送信要求を前記ユーザ識別情報と共に受け付ける受付手段と、
該受付手段が要求を受け付けた時点で、前記ユーザ識別情報に基づき推奨される推奨情報に対応する品名、価格、又は説明の文字情報を画像化した画像を作成する作成手段と
を備え、
前記作成手段が作成した画像を前記通信手段により前記端末装置宛てに送信するようにしてある
ことを特徴とする推奨情報表示システム。
【請求項７】
画像を表示する表示部を備え、電子メールを受信し、受信した電子メールの内、選択された電子メールに含まれる画像を前記表示部へ表示させる端末装置と、該端末装置との間で情報を送受信する通信手段を備え、推奨情報を抽出し、抽出した推奨情報を前記通信手段により前記端末装置宛てに送信する推奨情報送信装置とを含むシステムにて、前記端末装置にて推奨情報を表示させる推奨情報表示方法において、
前記端末装置は、
前記推奨情報送信装置から送信されるべき画像が含まれる電子メールを受信するようにしてあり、
前記電子メールに含まれる画像を表示させる時点で、ユーザ識別情報と共に前記推奨情報送信装置に前記画像の送信を要求し、
前記推奨情報送信装置は、
前記端末装置からの画像の送信要求を前記ユーザ識別情報と共に受け付け、
該送信要求を受け付けた時点で、前記ユーザ識別情報に基づき推奨される推奨情報に対応する品名、価格、又は説明の文字情報を画像化した画像を作成し、
作成した画像を前記端末装置宛てに送信し、
前記端末装置は、要求に応じて前記推奨情報送信装置から送信された画像を前記表示部に表示させる
ことを特徴とする推奨情報表示方法。